(57)【要約】      （修正有）【課題】ドリルチャックを改良して、接線方向打撃機構の使用時にも確実に機能するようにすること。【解決手段】係止装置７は、ほぼ相対回動不能に、しかしチャックボディ２に関して軸方向に移動可能に支承された係止スリーブ８から形成されており、係止スリーブ８は、少なくとも１つのロック部材を有しており、ねじ山付きリング５またはねじ山付きリング５に結合された部分に、少なくとも１つのロック切欠きが少なくとも１つのロック部材を収容するために対応配置されており、少なくとも１つのロック部材は、チャックボディ２に関して軸方向で移動可能に支承された締付けスリーブ１を用いて、少なくとも１つのロック切欠きに噛み合う、ロック配置に対応する位置と、少なくとも１つのロック切欠きから解除された、解除配置に対応する位置との間で調節可能である。【選択図】図１
2017213678.tif 000002
【特許請求の範囲】
【請求項１】
接線方向に負荷可能な打撃穿孔スピンドル（１）において作動するドリルチャックであって、前記打撃穿孔スピンドル（１）に結合されるか、または結合可能なチャックボディ（２）を備え、該チャックボディ（２）内には、チャック軸線（３）に対して傾斜して延びる爪ガイド部（４）が形成されており、該爪ガイド部（４）内に、ねじ山付きリング（５）を用いて調節可能な締付け爪（６）がガイドされており、さらに前記ねじ山付きリング（５）にトルクを伝達するように連結可能な締付けスリーブ（１１）と、係止装置（７）とを備え、該係止装置（７）は、前記チャックボディ（２）に関する前記ねじ山付きリング（５）の相対回動を可能にする解除配置と、前記相対回動を妨害または阻止するロック配置との間で移動可能である、ドリルチャックにおいて、
前記係止装置は、ほぼ相対回動不能に、しかし前記チャックボディ（２）に関して軸方向に移動可能に支承された係止スリーブ（８）から形成されており、該係止スリーブ（８）は、少なくとも１つのロック部材（９）を有しており、前記ねじ山付きリング（５）または該ねじ山付きリング（５）に結合された部分に、少なくとも１つのロック切欠き（１０）が前記少なくとも１つのロック部材（９）を収容するために対応配置されており、前記少なくとも１つのロック部材（９）は、前記チャックボディ（２）に関して軸方向で移動可能に支承された締付けスリーブ（１１）を用いて、前記少なくとも１つのロック切欠き（１０）に噛み合う、前記ロック配置に対応する位置と、前記少なくとも１つのロック切欠き（１０）から解除された、前記解除配置に対応する位置との間で移動可能であることを特徴とする、接線方向に負荷可能な打撃穿孔スピンドル（１）において作動するドリルチャック。
【請求項２】
前記係止装置（７）は、前記ロック配置において、前記ドリルチャックの解除に対応する回動方向でも、前記ドリルチャックの後締付けに対応する回動方向でも前記相対回動を阻止するように、構成されている、請求項１記載のドリルチャック。
【請求項３】
前記係止スリーブ（８）は、複数のロック部材（９）を備えたロッククラウン（１２）を有しており、前記ねじ山付きリング（５）に、複数のロック切欠き（１０）を備えた収容クラウン（１３）が対応配置されている、請求項１または２記載のドリルチャック。
【請求項４】
前記係止スリーブ（８）が、支持区分（１４）を有しており、前記締付けスリーブ（１１）が、少なくとも前記ロック配置において前記支持区分（１４）に負荷を加える支持ショルダ（１５）を有している、請求項１から３までのいずれか１項記載のドリルチャック。
【請求項５】
前記支持区分（１４）は、前記少なくとも１つのロック部材（９）に形成されている、請求項４記載のドリルチャック。
【請求項６】
前記係止スリーブ（８）が、非円形の横断面のガイド区分（１６）を有しており、該ガイド区分（１６）が、前記チャックボディ（２）の、対応する非円形のチャックボディ区分（１７）においてガイドされている、請求項１から５までのいずれか１項記載のドリルチャック。
【請求項７】
前記係止スリーブ（８）が、前記締付け爪（６）のための貫通部（１８）を有している、請求項１から６までのいずれか１項記載のドリルチャック。
【請求項８】
前記係止スリーブ（８）に、戻しばね（１９）により負荷が加えられている、請求項１から７までのいずれか１項記載のドリルチャック。
【請求項９】
前記戻しばね（１９）が、前記チャックボディ（２）の環状鍔において、または前記チャックボディ（２）に関して軸方向で固定されたスリーブ部分（２０）において支持されている、請求項８記載のドリルチャック。
【請求項１０】
前記ねじ山付きリング（５）は複数の部分から形成されていて、連行スリーブ（２１）と、前記締付け爪（６）に噛み合う締付けリング（２２）とから成っており、前記少なくとも１つのロック切欠き（１０）が、前記締付けリング（２２）に相対回動不能に結合された前記連行スリーブ（２１）に形成されている、請求項１から９までのいずれか１項記載のドリルチャック。
【発明の詳細な説明】
【技術分野】
【０００１】
本発明は、接線方向に負荷可能な打撃穿孔スピンドル（Schlagbohrspindel）において作動するドリルチャックであって、打撃穿孔スピンドルに結合されるかまたは結合可能なチャックボディを備え、該チャックボディ内に、チャック軸線に対して傾斜して延びる爪ガイド部が形成されており、該爪ガイド部内に、ねじ山付きリングを用いて調節可能な締付け爪がガイドされており、さらにねじ山付きリングにトルクを伝達するように連結可能な締付けスリーブと、係止装置とを備え、該係止装置は、チャックボディに関するねじ山付きリングの相対回動を可能にする解除配置と、この相対回動を妨害するかまたは阻止するロック配置との間で調節可能である、ドリルチャックに関する。
【０００２】
冒頭で述べた形式のドリルチャックは、独国特許出願公開第１０２０１３１１１７３１号明細書（DE102013111731A1）から看取され得る。上掲の明細書に示された丸型爪ドリルチャックは、軸方向で操作可能な係止装置を有しており、該係止装置は、ねじ山付きリングの、チャックボディに対する相対回動を妨害するかまたは阻止することが望ましい。これによって、締付け爪が穿孔装置の運転時に解除も付加的な緊締もされないことが保証されることが望まれる。しかしこのドリルチャックでは、打撃穿孔運転またはインパクトドライバ運動時に係止装置がロック配置から解除配置へと移行され得ることが判った。このことは一方では工具の解除をもたらし、他方ではドリルチャックの極端な緊締をもたらし得る。
【０００３】
独国特許第１０２０１００６２０１４号明細書（DE102010062014B3）には、接線方向打撃機構を含む手持ち式工作機械が示されている。上掲の明細書の段落２６には、接線方向打撃機構が詳しく説明されているので、接線方向打撃機構に関してはこの箇所を参照されたい。接線方向打撃機構は、通常、打撃穿孔スピンドルを有しており、該打撃穿孔スピンドルには、アンビルが対応して配置されている。このアンビルは、打撃穿孔スピンドルに相対回動不能に結合されている。さらに、機械駆動装置は、回転しながら部分的に接線方向で打撃する運動をアンビルを介して打撃穿孔スピンドルに伝達するハンマを有している。この運転時に一時的に強く高められたトルクが、打撃穿孔スピンドルに連結されたドリルチャックボディに作用する。この高められたトルクによって、ドリルチャックの係止装置が無効にされる虞がある。
【０００４】
したがって本発明の課題は、冒頭で述べた形式のドリルチャックを改良して、接線方向打撃機構の使用時にも確実に機能するようにすることである。
【０００５】
この課題は、独立請求項１の特徴部に記載の特徴を有するドリルチャックにより解決される。この場合、本発明によれば、係止装置は、ほぼ相対回動不能な、しかしチャックボディに関して軸方向に移動可能に支承された係止スリーブから形成されている。係止スリーブは少なくとも１つのロック部材を有している。この場合、ねじ山付きリングに、または該ねじ山付きリングに結合された部分に少なくとも１つのロック切欠きが少なくとも１つのロック部材を収容するために対応配置されている。さらに、少なくとも１つのロック部材が、チャックボディに関して軸方向に移動可能に支承された締付けスリーブを用いて、少なくとも１つのロック切欠きに噛み合った、ロック配置に対応する位置と、少なくとも１つのロック切欠きから解除された、解除配置に対応する位置との間で調節可能である。この構成には、ドリルチャックが接線方向打撃機構を備えた穿孔機においても使用され得るという利点が結びついている。接線方向打撃機構を備えた穿孔機の運転時に、本発明に係るドリルチャックが意図せずにロック位置から解除位置へとずらされないことが保証されている。
【０００６】
これに関連して、係止装置が、ロック配置において相対回動を、ドリルチャックの解除に対応する回動方向でもドリルチャックの後締付けに対応する回動方向でも阻止するように構成されていると有利であることが判った。先行技術から公知のドリルチャックでは、係止装置は穿孔工具の後締付けを許容するように構成されている。したがって公知のドリルチャックでは、回動する締付け爪および該締付け爪に作用する遠心力に基づいて生じる締付け力損失は、後締付けにより補償されることが望ましい。この後締付けは、本発明では阻止されている。なぜならば、接線方向に負荷される打撃穿孔スピンドルの使用時には、ドリルチャックが過度に締め付けられて、使用された工具がもはや解除され得なくなるほど、トルクが高いからである。
【０００７】
この場合、少なくとも１つのロック部材が、噛み合っている位置において、少なくとも１つのロック切欠きに形状接続式に噛み合っていると有利である。
【０００８】
強化された係止装置を形成するために、係止スリーブが、複数のロック部材を備えるロッククラウンを有していて、ねじ山付きリングに、複数のロック切欠きを備えた収容クラウンが対応配置されていると有利であることが判った。有利にはロック部材の個数はロック切欠きの個数に一致する。
【０００９】
係止装置の容易な操作を提供するために、係止スリーブが支持区分を有しており、締付けスリーブが、少なくともロック配置において支持区分に負荷を加えるための支持ショルダを有していると特に有意であることが判った。締付けスリーブが、解除配置でも係止スリーブにより支持されていることも可能である。締付けスリーブの軸方向の調節により、同様に係止スリーブの軸方向の調節も行われる。択一的には、締付けスリーブに連行溝も形成されている。この連行溝内に係止スリーブの支持区分が、締付けスリーブに関して回動可能に収容されている。
【００１０】
さらに、支持区分が有利には少なくとも１つのロック部材に形成されている。これにより、ドリルチャックおよび特に係止装置が極めてコンパクトに形成され得る。
【００１１】
係止スリーブが、非円形の横断面のガイド区分を有していて、ガイド区分が、チャックボディの、対応する非円形のチャックボディ区分においてガイドされていると有利である。これにより、係止スリーブが確実に、噛み合っている位置と解除された位置との間でチャックボディに沿って移動することができる。有利には、チャックボディの横断面が、係止スリーブの領域において六角形に成形されている。この場合、角の別の個数も可能である。重要であるのは、係止スリーブがチャックボディに対して相対回動不能に支承されていることだけである。
【００１２】
ドリルチャックをその軸方向の長さにおいてできるだけ短く形成することができるように、係止スリーブが締付け爪のための貫通部を有していると有利であることが判った。
【００１３】
さらに、係止スリーブに、戻しばねにより負荷が加えられていると有利であることが判った。これにより係止スリーブは、戻しばねにより常に噛み合った位置の方向へと押圧される。言い換えると、ドリルチャックは、ロック配置へ移動される必要性を有している。ドリルチャックが解除配置へと移行されると、ロック部材をロック切欠きから押し出すために、ユーザは締付けスリーブを能動的に戻しばねのばね力に抗して軸方向に移動させなければならない。締付けスリーブの解放時に少なくとも１つのロック部材が対応するロック切欠きに整合しないことが生じると、接線方向打撃機構を備えたドリルチャックの作動時に、ロック部材はロック切欠きに関して、再び互いに整合するまで回動させられる。この場合、この場合、戻しばねは、ロック部材を自動的に噛み合った位置へと戻すように押圧する。これにより、ロック位置がユーザにより能動的に生ぜしめられない場合でも、ドリルチャックが自動的に解除位置からロック位置へと移動することが保証されている。
【００１４】
有利には、戻しばねは、チャックボディの環状鍔において、またはチャックボディに関して軸方向に固定されたスリーブ部分において支持されている。
【００１５】
ドリルチャックの組立てを容易にするために、ねじ山付きリングが複数部分から形成されており、連行スリーブと、締付け爪に噛み合った締付けリング（実際のねじ山付きリング）とから成っていると有利であることが判った。連行スリーブは、相対回動不能にかつ締付けリングに関して軸方向で固定されており、これにより当業者であれば、両方の部分が単独の一体的な部分として、つまり唯１つの複合的なねじ山付きリングとして形成されていてもよいことが判る。
【００１６】
以下に、本発明を図面に示した実施の形態につき詳しく説明する。
【図面の簡単な説明】
【００１７】
【図１】本発明に係るドリルチャックをロック配置で示す縦断面図である。
【図２】図１に示したドリルチャックを解除配置で示す縦断面図である。
【図３】図１に示したＩＩＩ−ＩＩＩ線の断面図である。
【図４】図２に示したＩＶ−ＩＶ線の断面図である。
【図５】図１に示したドリルチャックを、締付けスリーブおよびスリーブ部分なしに示す側面図である。
【図６】本発明に係るドリルチャックの別の実施の形態を示す図である。
【図７】本発明に係るドリルチャックの別の実施の形態を示す図である。
【００１８】
図面には、チャックボディ２を備えたドリルチャックが示されている。チャックボディ２は、接線方向で付加可能な打撃穿孔スピンドル１において作動するために設けられている。図１から図５に示した実施の形態では、打撃穿孔スピンドル１は、チャックボディ２に固く結合されおり、チャックボディ２に一体的に形成されている。打撃穿孔スピンドル１は、接線方向打撃機構のアンビルのための接続部２３を有している。この接続部２３は本実施の形態では、アンビルの回動固定された位置を設定する２つの扁平加工部２４により形成されている。図６および図７に示した実施の形態では、択一的なスピンドル収容部２５がチャックボディ２内に形成されている。スピンドル収容部２５には、対応する打撃穿孔スピンドル１が接続可能である。図６に示した実施の形態では、収容部ねじ山２６を備えてスピンドル収容部２５が成形されており、図７に示した実施の形態では、非円形の横断面を有するスピンドル収容部２５がスピンドル頸部を収容するために成形されている。
【００１９】
ドリルチャックの全ての実施の形態において、チャック軸線３に対して傾斜して延びる複数の爪ガイド部４が形成されている。これらの爪ガイド部４内に複数の締付け爪６がガイドされている。締付け爪６は、歯列２７を有している。歯列２７は、ねじ山付きリング５の締付けねじ山２８に噛み合っている。ねじ山付きリング５は、示された実施の形態では複数の部分から形成されており、連行スリーブ２１と、締付け爪６に噛み合っている締付けリング２２（実際のねじ山付きリング）とから成っている。これらの締付け爪６は、その間に工具収容部を形成する。ねじ山付きリング５の回動は、締付け爪６の間に配置されている穿孔工具またはドライバ工具を締め付けるかまたは解放するために、締付け爪６の開放または閉鎖を生ぜしめる。ねじ山付きリング５を外部から回動させることができるように、トルクを伝達するように連結可能な締付けスリーブ１１が設けられている。この締付けスリーブ１１は、ユーザによって有利には手で操作可能である。
【００２０】
例示的に図示されたドリルチャックは、さらに係止装置７を有している。この係止装置７は、チャックボディ２に関するねじ山付きリング５の相対回動を可能にする解除配置もしくは締付け配置と、チャックボディ２に関するねじ山付きリング５のこの相対回動を妨害または阻止するロック配置との間で調節可能である。
【００２１】
係止装置７は、チャックボディ２に関して実質的に相対回動不能に配置された係止スリーブ８を有している。しかしこの係止スリーブ８は、軸方向でチャックボディ２に関して移動可能に支承されている。係止スリーブ８は、少なくとも１つのロック部材９を有している。この場合、図示された実施の形態では、係止スリーブ８は、複数のロック部材９を備えたロッククラウン１２を有している（図５）。さらに、係止装置７は、ねじ山付きリング５、この場合はその連行スリーブ２１に対応配置された少なくとも１つのロック切欠き１０を少なくとも１つのロック部材９を収容するために有している。図示された実施の形態では、連行スリーブ２１は、複数のロック切欠き１０を備えた収容クラウン１３を有している。この場合、ロック切欠き１０の個数はロック部材９の個数に相当する。
【００２２】
図１および図２に示した対比図から判るように、締付けスリーブ１１はチャックボディ２に関して軸方向で調節可能に支承されている。軸方向で前方に向かって、つまりドリルチャックの、打撃穿孔スピンドル１とは反対の側に向かう方向で、締付けスリーブ１１は、有利には回動可能に支承された保護キャップ２９により支持されている。保護キャップ２９自体は、止め輪３０によりチャックボディ２に固定されている。後方に向かって、つまりドリルチャックの、打撃穿孔スピンドル１に面した側に向かう方向で、締付けスリーブ１１の運動は有利にはチャックボディ２のストッパ３１により制限されている。しかし、締付けスリーブ１１の運動がねじ山付きリング５により制限されることも可能である。
【００２３】
締付けスリーブ１１の、打撃穿孔スピンドル１に面した側には、支持ショルダ１５が形成されている。この支持ショルダ１５は、示された実施の形態では、内側に位置する環状鍔として成形されている。この環状鍔は、たとえば簡単な形式で、締付けスリーブ１１の旋盤加工により製造され得る。この支持ショルダ１５には、係止スリーブ８の支持区分１４が支持されているので、締付けスリーブ１１の軸方向の移動時に、係止スリーブ８の連行が行われる。係止スリーブ８を軸方向で前方に向かってかつ軸方向で後方に向かって連行することができるように、択一的には、支持ショルダ１５が締付けスリーブ１１に形成された環状溝として成形されていることも可能である。締付けスリーブ１１の軸方向の移動により、係止スリーブ８に対応配置されたロック部材９が、少なくとも１つのロック切欠き１０に噛み合う、ロック配置に対応する位置と、少なくとも１つのロック切欠き１０から解除された、解除配置に対応する位置との間で調節され得る。
【００２４】
係止スリーブ８に設けられた支持区分１４もしくは複数の支持区分１４は、この実施の形態では、各ロック部材９に形成されている。この場合、支持区分１４は、チャック軸線３に関して半径方向に突出する鍔の形態で成形されている。支持区分１４もしくは鍔は、ロック配置または解除配置において、少なくとも部分的に締付けスリーブ１１の支持ショルダ１５に沿ってガイドされ、これにより、ねじ山付きリング５の、チャックボディ２に関する相対回動を可能にすることができる。
【００２５】
係止スリーブ８には、軸方向で後方に向かって戻しばね１９によって負荷が加えられているので、この戻しばね１９の戻し力は係止スリーブ８に常に締付け爪６に向かう方向で作用している。言い換えると、ロック部材９を備えたロッククラウン１２が、戻しばね１９によって、ロック切欠き１０を備えた収容クラウン１３内に押し込まれる。したがって、ねじ山付きリング５の回動後に、ロック部材９がロック切欠き１０に整合しないようにロッククラウン１２が位置決めされている場合、ロッククラウン１２はねじ山付きリング５に係合しないで、単に当接している。今、ドリルチャックが接線方向のインパクトドライバ運転または接線方向の打撃穿孔運転で駆動されると、ねじ山付きリング５をチャックボディ２に関して、ひいては係止スリーブ８に関して調節するトルクが作用する。しかしこの調節は、ロック部材９がロック切欠き１０に整合し、かつロッククラウン１２が戻しばね１９の力により噛み合った位置へと調節されるまでしか行われない。この噛み合った位置では、チャックボディ２に関するねじ山付きリング５の相対回動が、ドリルチャックの解除に対応する回動方向でも、ドリルチャックの後締付けに対応する回動方向でも阻止されている。
【００２６】
係止スリーブ８に戻し力を作用させる戻しばね１９は軸方向で後方に向かって、チャックボディに関して軸方向で固定されているスリーブ部分２０において支持されている。このスリーブ部分は、有利にはチャックボディ２に圧着されている。この場合、チャックボディは、このために、細かい歯列３２を有している（図５）。この細かい歯列３２は、圧入すべきスリーブ部分２０の材料内に埋め込まれるので、両構成部材は互いに固く結合されている。この場合、スリーブ部分２０は、打撃穿孔スピンドル１とは反対に向いた側に、ガイド鍔３３を有している。このガイド鍔３３において締付けスリーブ１１の端部区分３４がガイドされている。
【００２７】
ドリルチャックをコンパクトに形成することができるように、係止スリーブ８は、特に図３から判るように、締付け爪６のための貫通部１８を有している。図３では、係止スリーブ８が、非円形の横断面のガイド区分１６を有していることも判る。このガイド区分１６は、該ガイド区分１６に対応する、チャックボディ２に設けられた非円形のチャックボディ区分１７においてガイドされている。この実施の形態では、ガイド区分１６およびチャックボディ区分１７は、六角形に形成されているので、係止スリーブ８は軸方向でチャックボディ２に関して移動可能に、しかしチャックボディ２に関して相対回動不能に支承されている。
【００２８】
図４および図５から判るように、ねじ山付きリング５、特にねじ山付きリング５の連行スリーブ２１は、少なくとも１つの回動部材収容部３５、この場合にはまさに３つの回動部材収容部３５を有している。これらの回動部材収容部３５内には、締付けスリーブ１１に対応配置された少なくとも１つの回動部材３６が収容可能である。この場合、回動部材収容部３５の個数は、回動部材３６の個数に一致する。回動部材３６は、少なくとも解除配置において、ねじ山付きリング５の回動部材収容部３５内に収容されている。この場合、締付けスリーブ１１の回動、ひいては回動部材３６の回動が、ねじ山付きリング５もしくは連行スリーブ２１の連行をもたらす。
【００２９】
以下に本発明に係るドリルチャックの機能形式をもう一度説明する。穿孔工具またはドライバ工具を工具収容部内に締め付けることができるように、ユーザにより締付けスリーブ１１が打撃穿孔スピンドル１の方向に戻しばね１９のばね力に抗して移動され得る。締付けスリーブ１１は、その支持ショルダ１５により係止スリーブ８の支持区分１４を連行し、回動部材３６は、連行スリーブ２１の回動部材収容部３５内に進入する。いま、締付けスリーブ１１が、締付けに対応する回動方向でチャックボディ２に対して回動させられると、締付け爪６により形成された工具収容部が、該締付け爪６の締付け面が穿孔工具またはドライバ工具のシャフトに当て付けられるまで、締められる。締付けスリーブ１１は、次いで自動的に戻しばね１９のばね力により再び前方に向かって押圧される。ロック部材９がロック切欠き１０に整合する限り、これによりドリルチャックは自動的にロック配置へと移行される。ロック部材９がロック切欠き１０に整合しない場合、ロッククラウン１２は収容クラウン１３の端面上に当接している。しかし次いでドリルチャックの接線方向打撃運転時に、ロッククラウン１２の、収容クラウン１３に関する自動的な回動を引き起こすトルクが導入される。したがって、（たとえば短時間後に）ロック部材９が再びロック切欠き１０に整合する場合、ロック部材９はロック切欠き１０内に戻しばね１９により作用する力に基づいて噛み合う。したがって、本発明に係るドリルチャックによりロック配置が自動的に生じる。
【００３０】
ドリルチャックを再び解除するためには、締付けスリーブ１１が改めて後方に向かって戻しばね１９の力に抗して移動され得る。この場合、係止スリーブ８は、改めて連行され、これによりロック部材９が解除された位置へと移動する。いまや、解除配置において相対回動不能にねじ山付きリング５に結合された締付けスリーブ１１が、穿孔工具またはドライバ工具が再び解放されるまで、解除に対応する回動方向に回動され得る。
【符号の説明】
【００３１】
１  打撃穿孔スピンドル（接線方向の打撃穿孔スピンドル）
２  チャックボディ
３  チャック軸線
４  爪ガイド部
５  ねじ山付きリング
６  締付け爪
７  係止装置
８  係止スリーブ
９  ロック部材
１０  ロック切欠き
１１  締付けスリーブ
１２  ロッククラウン
１３  収容クラウン
１４  支持区分
１５  支持ショルダ
１６  ガイド区分
１７  チャックボディ区分
１８  貫通部
１９  戻しばね
２０  スリーブ部分
２１  連行スリーブ
２２  締付けリング
２３  接続部
２４  扁平加工部
２５  スピンドル収容部
２６  収容部ねじ山
２７  歯列
２８  締付けねじ山
２９  保護キャップ
３０  止め輪
３１  ストッパ（チャックボディ）
３２  細かい歯列
３３  ガイド鍔
３４  端部区分
３５  回動部材収容部
３６  回動部材
【図１】
2017213678.tif 000003
【図２】
2017213678.tif 000004
【図３】
2017213678.tif 000005
【図４】
2017213678.tif 000006
【図５】
2017213678.tif 000007
【図６】
2017213678.tif 000008
【図７】
2017213678.tif 000009
【外国語明細書】
2017213678.tif 000010
2017213678.tif 000011
2017213678.tif 000012
2017213678.tif 000013
2017213678.tif 000014
2017213678.tif 000015
2017213678.tif 000016
2017213678.tif 000017
2017213678.tif 000018
2017213678.tif 000019
2017213678.tif 000020
2017213678.tif 000021
2017213678.tif 000022
2017213678.tif 000023
2017213678.tif 000024
2017213678.tif 000025
2017213678.tif 000026
2017213678.tif 000027
2017213678.tif 000028
2017213678.tif 000029
2017213678.tif 000030
2017213678.tif 000031
2017213678.tif 000032
2017213678.tif 000033
2017213678.tif 000034